(57)【要約】      （修正有）【課題】チルティング機構付の入浴用車いすにおいて、入浴介助者が行うチルト操作を簡単且つ確実に行えるようにすると同時に入浴者にチルティング時の不安感を与えることのない車いすを提供するものである。【解決手段】入浴用車いすの回転する背もたれフレーム４に当接板１２を設置し、この当接板の回転軌跡上にポリウレタンゴム等から成る弾性体１３を固定部材である車いすのフレーム２に設置し、チルティング操作時において上記弾性体を圧縮変形させるようにした。【選択図】図１
0003108955.tif 000002
【実用新案登録請求の範囲】
【請求項１】
チルティング機構付の入浴用車いすにおいて、背もたれフレーム５等の回転部材に金属性の当接板１２又はポリウレタンゴム等から成る弾性体１３を設けると共に、該当接板１２又は弾性体１３の回転軌跡上に弾性体１５又は当接板１２を設置し、チルティング操作時に上記弾性体１３を圧縮させるように形成した事を特徴とする車いす式入浴装置の車いす。
【請求項２】
弾性体１３にガイド穴１５を付設すると共に、該ガイド穴に対応する挿入片１６を当接板１２に設け上記弾性体１３の座屈を防止するように形成したことを特徴とする請求項1記載の車いす入浴装置の車いす。
【考案の詳細な説明】
【技術分野】
【０００１】
この考案は、車いす式入浴装置等で使用されるチルティング機構付の車いすにおいて、チルト操作を簡単且つ確実に行えるようにした車いすを提供するものである。
【背景技術】
【０００２】
車いす式入浴装置に使用される車いすＡは、入浴者が着座する時や搬送時は、図１のように垂直に延びた背もたれＢと略直交配置の座部Ｃに対し、脚部Ｄは下方に垂設されている。そして、入浴に際しては入浴者の姿勢を足を伸ばしたゆったりとした仰臥の姿勢へ変換させるため、背もたれＢを後方に所定角度倒すことによって、座部Ｃも背もたれが傾斜した角度だけ傾けると同時に、足受けＥを含む脚部Ｄは上記傾斜角を上回る角度跳ね上げる必要がある。（こうした一連の動作を以下チルティングと称す。）
【０００３】
斬るチルティング機構付の入浴用車いすにあって、入浴介助者が入浴者の姿勢を図１の着座姿勢から図２の仰臥姿勢へ変換させる際、入浴者の重心は背もたれＢの傾斜角に応じて後方へ変位してゆくので、その操作力は大なるを要しない。ところが反対に入浴者がチルトした姿勢から元の姿勢へ戻すには、上記に較べて大なる力、殊に初期操作力は相当大なる力を必要とする。
【特許文献１】特願２００４−１６８０８１
【考案の開示】
【考案が解決しようとする課題】
【０００４】
本考案は上述した点に鑑み、入浴介助者の操作力軽減化を計り誰にでも容易に且つ円滑に姿勢変換操作が行えるようにしたものである。
【課題を解決するための手段】
【０００５】
本考案の請求項１記載の車いす式入浴装置の車いすは、チルティング機構付の入浴用車いすにおいて、背もたれフレーム５等の回転部材に金属性の当接板１２又はポリウレタンゴム等から成る弾性体１３を設けると共に、該当接板１２又は弾性体１３の回転軌跡上に弾性体１５又は当接板１２を設置し、チルティング操作時に上記弾性体１３を圧縮させるように形成した事を特徴とする。
【考案の効果】
【０００６】
上記請求項1記載によると、車いすを着座姿勢からチルティング姿勢へ変換させる際は、当接板１２が弾性体１３を圧縮させながら行われるため、急速な傾斜動が抑制される結果、入浴者に恐怖感や不安感を与える恐れがない。又、チルト姿勢から元に戻す際には、比較的大なる初期操作力を必要とするが、弾性体の最大蓄力を利用して背もたれＢを起こすので誰にでも容易に操作できる利点がある。
【０００７】
本考案の請求項２は、弾性体１３にガイド穴１５を付設すると共に、該ガイド穴に対応する挿入片１６を当接板１２に設け上記弾性体１３の座屈を防止するように形成したことを特徴とする。
【０００８】
上記請求項２によると、チルティング時において弾性体１３のガイド穴１５に挿入片１６が挿入するため、弾性体１３の座屈を防止し、その寿命を大幅にアップする利点を奏する。
【考案を実施するための最良の形態】
【０００９】
以下本考案を付図実施例に基づいて詳細に説明する。本考案に係る車いすＡは、キャスター１を隅各部に装着したフレーム２に張り出し板３が固定されていて、この張り出し板３に軸４を介して背もたれフレーム５が回転自在に取り付けられている。この背もたれフレーム５は、前記張り出し板３の内側に設けられていて、その上方部に背もたれＢが固定されている。この背もたれＢには座部Ｃが任意適当に固定されている。又、脚部Ｄは座部Ｃの先端で軸６を介して回転自在に装着されると共に、その下端には外方に向けて軸７周りに拡開する足受けＥが装着されている。
【００１０】
図４の如く上記背もたれフレーム５には、上記軸４が挿通して該背もたれフレームの回転中心となる穴５Ａが穿設され、この穴５Ａの中心から同一半径上に穴５Ｂ，５Ｃが所定の間隔を置いて穿設されている。一方の穴５Ｂにプランジャピン８が嵌入して図１の着座姿勢が形成される。この姿勢から足踏みペタル９を踏み下げ、ワイヤー１０を介してプランジャピン８を穴５Ｂから後退させて、図２の如く背もたれＢを後方（図の時計方向）に所定量倒せばプランジャピン８が他方の穴５Ｃに嵌入してそれ以上の倒れを規制する。
【００１１】
上述のように背もたれを倒している際、背もたれフレーム５の穴５Ａを中心として刻設された円弧溝５Ｄに遊嵌した軸１１を基点として、座部Ｃの下面に延びるリンクＬｃに連接しているリンク手段Ｌを介して、上記リンクＬｃを図の右方に移動させることにより脚部Ｄをリンク手段の最終リンクＬｄを介して足受けＥごと所定角度跳ね上げるように形成されている。この結果脚部Ｄおよび足受けＥは、図２の如く背もたれＢの傾斜角αよりも大なるα＋β傾斜することになる。
【００１２】
そして本考案の車いすＡにあっては、回転部材である上記背もたれフレーム５に金属製の当接板１２を接合する共に、該当接板１２の回転軌跡上にポリウレタンゴム等から成る弾性体１３を固定部材である前記フレーム２に固着した張り出し板３に取付板１４を介して固定している。尚、上記弾性体１３にはガイド穴１５が、当接板１２には挿入片１６が夫々付設されている。尚、弾性体１３と当接板１２の取り付けを逆、即ち弾性体１３回転部材に当接板１２を固定部材側に設けても良い。
【００１３】
而して、本考案によれば、図１の如く着座姿勢において、上記弾性体１３と当接板１２は互いに離間した位置にあるが、チルティング動作に伴い挿入片１６はガイド穴１５内に臨み、当接板１２は弾性体１３の上面を押圧してゆき、最終的に弾性体１３は圧縮変形される。この時、挿入片１６はガイド穴１５内に進入して弾性体１３の座屈を防止している。
【００１４】
従って、介助者は弾性体１３の弾力に抗してチルティングさせることになるが、着座姿勢からのチルト操作は前述したように概して操作力を要さないで行うことが出来るので、若干重く感じるもののむしろ力の入れすぎで急速な傾倒動が制限される結果、誰が操作しても入浴者に恐怖感や不安感を与えることが無いといった利点を奏する。
【００１５】
又、逆にチルティング状態から元の姿勢へ戻す際には、比較的大きな初期操作力を必要とするが、本考案では弾性体の最大蓄力を利用して背もたれを起こし始めるので誰にでも容易に行うことが可能となる。
【００１６】
更に考案によれば、チルティング時において、弾性体１３に設けたガイド穴１５に挿入片１６が挿入するため、弾性体１３の座屈を防止しその寿命を大きく伸ばすことが出来る。
【図面の簡単な説明】
【００１７】
【図１】本考案に係る入浴用車いすの着座姿勢の状態を示す側面図。
【図２】本考案に係る入浴用車いすのチルティングした姿勢を示す側面図。
【図３】本考案に係る入浴用車いすの要部を拡大した拡大側面図。
【図４】本考案に係る入浴用車いすに使用される部品の背もたれフレームを示す一部切断側面図。
【符号の説明】
【００１８】
２              フレーム
３              張り出し板
４              軸
５              背もたれフレーム
１２            当接板
１３            弾性体
１４            取付板
１５            ガイド穴
１６            挿入片
Ａ              車いす
Ｂ              背もたれ
Ｃ              座部
Ｄ              脚部
Ｅ              足受け
【図１】
0003108955.tif 000003
【図２】
0003108955.tif 000004
【図３】
0003108955.tif 000005
【図４】
0003108955.tif 000006